(57)【要約】      （修正有）【課題】雄雌のハウジング間のがた詰めを確実に行う。【解決手段】前方に開口したフード部を有し雄端子がフード部内に突出した状態で収容される雄ハウジングと、雌端子が収容されるキャビティを有しフード部内に嵌合可能な端子収容部と、端子収容部の前面に装着され雄端子の端子挿入孔５５をキャビティ５０と連通して設けた前壁部材７０と、を備えた雌ハウジング４０と、が具備されている。フード部の内周面には前後方向に延びた嵌合突条２０が形成される一方、端子収容部の外周面には、嵌合突条２０が前方から挿入可能な嵌合溝６０が形成されて、その内面に、嵌合突条２０の外面との間で圧潰される前後方向を向いたがた詰めリブが形成され、前壁部材７０には、嵌合突条２０をクリアランスを持って挿通して嵌合溝６０に挿入されることを許容する逃がし溝８０が形成されている。【選択図】図１４
2015220169.tif 000002
【特許請求の範囲】
【請求項１】
前方に開口したフード部を有し雄端子が前記フード部内に突出した状態で収容される雄ハウジングと、
雌端子が収容されるキャビティを有し前記フード部内に嵌合可能な端子収容部と、前記端子収容部の前面に装着され前記雄端子が挿通される端子挿入孔を前記キャビティと連通して設けた前壁部材と、を備えた雌ハウジングと、が具備されたコネクタであって、
前記雄ハウジングにおける前記フード部の内周面には前後方向に延びた嵌合突条が形成される一方、
前記雌ハウジングにおける前記端子収容部の外周面には、前記嵌合突条が前方から挿入可能な嵌合溝が形成されて、この嵌合溝の内面には、前記嵌合突条の外面との間で圧潰される前後方向を向いたがた詰めリブが形成されており、
かつ、前記前壁部材には、前記嵌合突条をクリアランスを持って挿通して同嵌合突条が前記嵌合溝に挿入されることを許容する逃がし溝が形成されているコネクタ。
【請求項２】
前記雌ハウジングの前記端子収容部には、前記雄ハウジングの前記フード部の外周に嵌合されるカバー部が設けられるとともに、
前記端子収容部の基端側の外周には前記フード部の内周との間で弾縮されるシールリングが装着され、前記前壁部材が前記シールリングの脱落を防止するためのリング押さえを兼用している請求項１に記載のコネクタ。
【請求項３】
前記がた詰めリブと、同がた詰めリブを圧潰するべく前記嵌合突条の圧潰面の少なくともいずれか一方が、嵌合方向の先端側から後端側に向けて次第に高さが大きくなったテーパ状に形成されている請求項１または請求項２に記載のコネクタ。
【発明の詳細な説明】
【技術分野】
【０００１】
本明細書によって開示される技術は、雄雌のハウジング間のがた詰め機能を備えたコネクタに関する。
【背景技術】
【０００２】
この種のがた詰め機能を備えたコネクタの一例として、特開２００８−１６６０４６号公報（下記特許文献１）に記載のものが知られている。このものは防水コネクタであって、雄端子を収容した雄ハウジングが、雄端子の先端部を臨ませるフード部を有する形状とされる一方、雌ハウジングは、雌端子を収容する端子収容部の回りにカバー部が形成された形状である。また、雌ハウジングの端子収容部の基端側の外周にはパッキンが嵌着され、端子収容部の前面に前壁部材が後付けにより装着されて抜け止めが図られている。
【０００３】
雄雌のハウジングは、雌ハウジングの端子収容部を相手の雄ハウジングのフード部の内側に、またカバー部を同フード部の外側に挿入しつつ嵌合され、正規嵌合されたところで雄雌の端子金具同士が接続されるとともに、パッキンが端子収容部とフード部との間で弾縮されることで、両ハウジング間のシールが取られるようになっている。
ここで、がた詰め構造については、前壁部材の外周面に断面山形をなすがた詰めリブが前後方向に延びて形成される一方、雄ハウジングのフード部の内周面に、がた詰めリブよりも幅狭の台形断面の嵌合溝が形成されていて、がた詰めリブの両裾部と、嵌合溝の開口縁同士が互いに潰し合うことで、がた詰めが行われるようになっている。
【先行技術文献】
【特許文献】
【０００４】
【特許文献１】特開２００８−１６６０４６号公報
【発明の概要】
【発明が解決しようとする課題】
【０００５】
上記従来技術のものでは、雄雌のハウジング間のがた詰めが、雄ハウジングと、雌ハウジングに後付けにより装着される前壁部材との間に設定され、言わば別部材を介してのがた詰め構造となっており、そのため、雌ハウジングと前壁部材との間にクリアランスがあることを考慮すると、雄雌のハウジング間のがた詰めを図る上では不十分であり、ひいては雄雌の端子金具間の微摺動摩耗を十分に抑制できないおそれがあった。
本明細書によって開示されるコネクタは、上記のような事情に基づいて完成されたものであって、その目的は、雄雌のハウジング間のがた詰めを確実に行うところにある。
【課題を解決するための手段】
【０００６】
本明細書によって開示される技術は、前方に開口したフード部を有し雄端子が前記フード部内に突出した状態で収容される雄ハウジングと、雌端子が収容されるキャビティを有し前記フード部内に嵌合可能な端子収容部と、前記端子収容部の前面に装着され前記雄端子が挿通される端子挿入孔を前記キャビティと連通して設けた前壁部材と、を備えた雌ハウジングと、が具備されたコネクタであって、前記雄ハウジングにおける前記フード部の内周面には前後方向に延びた嵌合突条が形成される一方、前記雌ハウジングにおける前記端子収容部の外周面には、前記嵌合突条が前方から挿入可能な嵌合溝が形成されて、この嵌合溝の内面には、前記嵌合突条の外面との間で圧潰される前後方向を向いたがた詰めリブが形成されており、かつ、前記前壁部材には、前記嵌合突条をクリアランスを持って挿通して同嵌合突条が前記嵌合溝に挿入されることを許容する逃がし溝が形成されているところに特徴を有する。
【０００７】
雄雌のハウジングが嵌合されると、雄ハウジングのフード部の内周面に形成された嵌合突条が、前壁部材に形成された逃がし溝を通って、雌ハウジングの端子収容部の外周面に形成された嵌合溝に前方から挿入され、同嵌合突条の進入に伴い嵌合溝の内面に形成されたがた詰めリブが圧潰されることにより、がた詰めが図られる。
雄ハウジングと、雌ハウジングの端子収容部との間が直接がた詰めされることになり、それらに収容された雄雌の端子金具同士の微摺動摩耗をより確実に抑制することができる。
【０００８】
また、以下のような構成としてもよい。
（１）前記雌ハウジングの前記端子収容部には、前記雄ハウジングの前記フード部の外周に嵌合されるカバー部が設けられるとともに、前記端子収容部の基端側の外周には前記フード部の内周との間で弾縮されるシールリングが装着され、前記前壁部材が前記シールリングの脱落を防止するためのリング押さえを兼用している。
がた詰めをするべく嵌合突条ががた詰めリブを圧潰する際に、フード部を開くような力が作用したとしても、その開く力はカバー部で抑制される。そのため、がた詰めリブの圧潰がより確実に行われ、ひいてはより確実ながた詰めが図られる。
【０００９】
（２）前記がた詰めリブと、同がた詰めリブを圧潰するべく前記嵌合突条の圧潰面の少なくともいずれか一方が、嵌合方向の先端側から後端側に向けて次第に高さが大きくなったテーパ状に形成されている。
雄雌のハウジングの嵌合が進むにしたがって、がた詰めリブが次第に大きく圧潰されるようになる。初めから所定量圧潰される場合と比較すると、雄雌のハウジングの嵌合動作がスムーズに行われ、すなわち良好な嵌合フィーリングを得ることができる。
【発明の効果】
【００１０】
本明細書によって開示されるコネクタによれば、雄雌のハウジング間のがた詰めを確実に行うことができる。
【図面の簡単な説明】
【００１１】
【図１】実施形態に係る雄雌のハウジングの嵌合動作を示す縦断面図
【図２】雄ハウジングの正面図
【図３】同平面図
【図４】雌ハウジングの正面図
【図５】同平面図
【図６】前壁部材の正面図
【図７】同平面図
【図８】同底面図
【図９】前壁部材が仮保持位置に装着された状態の平断面図
【図１０】前壁部材が本保持位置に装着された状態の平断面図
【図１１】同正面図
【図１２】雄雌のハウジングの嵌合途中の状態を示す縦断面図
【図１３】嵌合完了時の縦断面図
【図１４】嵌合完了時におけるがた詰め状態を示す概略横断面図
【図１５】図１４のXV部の拡大図
【図１６】図１４のXVI部の拡大図
【発明を実施するための形態】
【００１２】
＜実施形態＞
実施形態を図１ないし図１６に基づいて説明する。
この実施形態では機器直結型の防水コネクタを例示しており、図１に示すように、互いに嵌合される雄ハウジング１０と雌ハウジング４０とを備えている。以下では、各ハウジング１０，４０について、嵌合端側を前側として説明する。
【００１３】
雄ハウジング１０は、合成樹脂製の機器ケースの壁面に一体的に形成されており、図１ないし図３に示すように、前方に開口したフード部１１を備えている。フード部１１は、断面形状がやや横長の方形で角に丸みを付けた前面開口の筒形をなしている。
フード部１１の奥面からは、タブ状をなす２本の雄端子１５が、左右に間隔を開けて並んだ状態で突設されている。各雄端子１５の先端は、フード部１１の奥行の中央から少し奥面に寄った位置にまで突出している。両雄端子１５の間には、背の低い縦向きの仕切部１２が形成されている。
【００１４】
フード部１１の上面には、前後方向を向いた左右２本の保護壁１４が立てられ、両保護壁１４の間に、後記する雌ハウジング４０のロックアーム４５と係合するロック突部１３が形成されている。また、図２に示すように、フード部１１の左右両側面の下端部寄りの位置と、下面の正面視左端の位置とには、それぞれ相手の雌ハウジング４０との嵌合を案内する（こじり防止）ための同じく前後方向を向いた都合３本のガイド壁１７がほぼ全長にわたって形成されている。
【００１５】
雌ハウジング４０は、図１に示すように、ともに合成樹脂製になるハウジング本体４１と、前壁部材７０とから構成されており、電線Ｗの端末に接続された雌端子３０が２本収容されるようになっている。雌端子３０は、導電性に優れた金属板をプレス成形して形成されており、同図に示すように、相手の雄端子１５が挿入される角筒形の接続部３１を有し、後端に設けられたバレル部３２が、防水用のゴム栓３５ともども電線Ｗの端末に圧着されている。
【００１６】
雌ハウジング４０のハウジング本体４１は、図１及び図４に示すように、端子収容部４２の回りにカバー部４３が形成された形状である。カバー部４３は、上記した雄ハウジング１０のフード部１１の外周側にほぼ緊密に嵌合される前面開口の筒形に形成されている。カバー部４３の上面では、前端部に背の低いアーチ部４４が形成される一方、その後方が開放されており、アーチ部４４の内側からその後方の領域に亘り、雄ハウジング１０側の両保護壁１４を含めたロック突部１３の形成部分が嵌合可能となっている。
【００１７】
アーチ部４４の内側からその後方領域には、ロックアーム４５が配設されている。ロックアーム４５は、図４及び図５に示すように、後端側の支点部４６がカバー部４３の後端側の内側面に連結されることで、前方を向いた片持ち状に支持され、支点部４６を中心として先端側が上下方向に弾性変位可能となっている。ロックアーム４５の先端部には、雌ハウジング４０のロック突部１３が嵌合可能なロック孔４５Ａが開口されている。
また、カバー部４３の内周面には、図４に示すように、その左右の側面の下端部寄りの位置と、下面の正面視右端の位置において、雄ハウジング１０のガイド壁１７を嵌合するガイド溝４７が、前縁から切り込み形成されている。
【００１８】
ハウジング本体４１の端子収容部４２は、雄ハウジング１０のフード部１１内に所定のクリアランスを持って嵌合される前後方向に長いタワー状に形成され、基本的には先端面が、カバー部４３の開口縁よりも所定寸法後退した位置にある。端子収容部４２には、雌端子３０が収容される前後方向に延びた２本のキャビティ５０が、相手の雄ハウジング１０側の雄端子１５と同じピッチで左右に並んで形成されている。両キャビティ５０の間には、図９に示すように、仕切溝５１が前面から切り込み形成されている。
【００１９】
上記のように、端子収容部４２の先端面が、カバー部４３の開口縁よりも後方に控えていることにより、図１に示すように、キャビティ５０の前端部の上半分については、前壁並びに周壁が欠落した形態で開放状態にある。一方、キャビティ５０の前端部の下半分については、前壁並びに周壁を構成する延出壁５３が一体的に延出形成されていることで、閉鎖状態にある。同延出壁５３の前壁の上縁には、雄端子１５を挿通する端子挿通孔５５の下半分を構成する下部挿通孔５５Ｄが形成されている。
【００２０】
各キャビティ５０の天井面には、雌端子３０の接続部３１の上面に形成された係止部３３に弾性的に係止するランス５７が設けられている。ランス５７は、前方を向いた片持ち状に形成され、先端側が撓み許容空間５７Ａに向けて弾性撓み可能となっている。
【００２１】
端子収容部４２の前面には、ハウジング本体４１とは別体に形成された前壁部材７０が嵌着されている。前壁部材７０は、図１並びに図６ないし図８に示すように、端子収容部４２の前面に当接される厚肉の前壁部７１の後面の周縁部から、端子収容部４２における前端側の大半の外周面を覆う筒部７２が突設された形状となっている。筒部７２は、相手の雄ハウジング１０のフード部１１内に略緊密に嵌合される断面形状となっている。前壁部７１の後面における幅方向の中央部には、図９に示すように、端子収容部４２に形成された仕切溝５１に進入可能な仕切壁７３が突出形成されている。
【００２２】
図１に示すように、前壁部７１の後面側には、雌端子３０の接続部３１における前端部の上半分を収容する補助キャビティ５０Ａを構成するべく、前壁並びに周壁からなる左右２個の補助壁７５が形成されている。補助壁７５の前壁の下縁には、図６に示すように、雄端子１５を挿通する端子挿通孔５５の上半分を構成する上部挿通孔５５Ｕが形成されている。
また、前壁部７１には、端子収容部４２から延出形成された延出壁５３が嵌る左右２個の嵌入孔７６が開口されている。
【００２３】
上記した補助壁７５の後面には、図１３に示すように、ランス５７の撓み許容空間５７Ａに進入して同ランス５７の撓み変位を規制する撓み規制片７７が突出形成されている。
また、端子収容部４２の基端側の外周面には、相手の雄ハウジング１０のフード部１１の内周面との間で弾縮されるシールリング５８が嵌着されるようになっており、前壁部材７０は、シールリング５８の抜け止めを果たす機能も兼ねている。
【００２４】
前壁部材７０は、図９に示すように、筒部７２の左右の内側面に形成された仮保持突部７８Ａが、各キャビティ５０の外側の側壁に形成された仮保持溝５９Ａの前面に係止されることで、仮保持位置に抜け止めされて装着される。前壁部材７０が上記の仮保持位置から押し込まれ、図１０に示すように、仕切壁７３の基端部の左右両面に形成された本保持突部７８Ｂが、各キャビティ５０の内側の側壁に形成された本保持溝５９Ｂの前面に係止されることで、本保持位置に装着されてロックされるようになっている。
【００２５】
上記のように前壁部材７０が本保持位置に装着されてロックされると、図１に示すように、前壁部材７０における前壁部７１の前面が、カバー部４３の開口縁の位置とほぼ一致するとともに、前壁部７１の後面に形成された補助壁７５が、延出壁５３の上方空間を覆うように配設され、前端側が閉じられたキャビティ５０が形成される。それとともに、図１１に示すように、上下の挿通孔５５Ｕ，５５Ｄが合わさって端子挿通孔５５が形成されるようになっている。
【００２６】
したがって、雌端子３０は、前壁部材７０が仮保持位置に装着された状態において、キャビティ５０内に後方からランス５７を弾性変位させつつ挿入され、接続部３１の前面が延出壁５３の前壁に当たったところで挿入が停止され、併せてランス５７が復元変位して係止部３３に係止することで一次係止される。続いて、前壁部材７０が本保持位置に押し込まれてロックされると、正規形状のキャビティ５０が形成されて、同キャビティ５０内に雌端子３０が正規に収容された形態となるとともに、撓み規制片７７がランス５７の上面の撓み許容空間５７Ａに進入してその弾性撓みが規制されることにより、雌端子３０が間接的に二重係止される。
また、筒部７２の後縁が、端子収容部４２の基端側の外周面に嵌着されたシールリング５８の前面に達し、シールリング５８が前方へ抜けるのを阻止するようになっている。
【００２７】
次に、がた詰め構造について説明する。
雄ハウジング１０におけるフード部１１の内周面には、図２に示すように、その上下両面において、前後方向に延びた嵌合突条２０が一対ずつ形成されている。
対をなす嵌合突条２０は、雄端子１５の直上または直下位置に設けられ、図１に示すように、所定の高さを有して、フード部１１の奥面から雄端子１５の先端の位置まで延出して形成されている。
嵌合突条２０における延出端側の略半分の領域が圧潰部２１となっており、同圧潰部２１の頂面と左右両側面が圧潰面２２とされている。各圧潰面２２は、先細りとなったテーパ状に形成されている。
【００２８】
一方、雌ハウジング４０のハウジング本体４１における端子収容部４２の外周面には、図４に示すように、その上下両面において、上記した雄ハウジング１０のフード部１１内に形成された上下の嵌合突条２０がそれぞれ前方から挿入可能な嵌合溝６０が、一対ずつ形成されている。各嵌合溝６０は、図１に示すように、前面に開口する一方シールリング５８の嵌着位置付近まで後方に延びて形成されているが、雄ハウジング１０側の嵌合突条２０が挿入されるのは、前側の略半分の領域である。
【００２９】
嵌合溝６０における前半領域の底面（溝底面）と左右両側面には、図１及び図４に示すように、嵌合突条２０の圧潰面２２との間で圧潰される前後方向を向いた第１がた詰めリブ６１が形成されている。第１がた詰めリブ６１は、断面三角形をなし、ただし、先端から基端に向けて次第に背が高くなったテーパ状に形成されている（図１５参照）。
【００３０】
前壁部材７０における上下両面には、図６ないし図８に示すように、端子収容部４２に設けられた上下の嵌合溝６０と連通するようにして、雄ハウジング１０のフード部１１内に形成された上下の嵌合突条２０をクリアランスを持って挿通可能な逃がし溝８０が、一対ずつ形成されている。
【００３１】
また、雌ハウジング４０のカバー部４３の内周面に設けられた３本のガイド溝４７には、図４に示すように、その底面（溝底面）と左右両側面において、雄ハウジング１０のフード部１１の外周面に形成されたガイド壁１７との間で圧潰される前後方向を向いた第２がた詰めリブ６２が形成されている。第２がた詰めリブ６２は、第１がた詰めリブ６１と同様に断面三角形に形成されている。なお、第２がた詰めリブ６２についても、図１６に示すように、先端から基端に向けて次第に背が高くなったテーパ状に形成されていてもよい。また、ガイド壁１７においても、先細りとなったテーパ状に形成されていてもよい。
【００３２】
続いて、本実施形態の作用を説明する。
雌ハウジング４０側の組み付けが、既述した要領で行われる。簡単に繰り返すと、シールリング５８が装着されまた前壁部材７０が仮保持位置に装着された形態の雌ハウジング４０の各キャビティ５０内に、電線Ｗの端末にゴム栓３５ともども固着された雌端子３０が後方から挿入され、正規位置まで押し込まれたところでランス５７により弾性的に一次係止されるとともに、キャビティ５０の入口にゴム栓３５が嵌着される。次に、前壁部材７０が本保持位置に押し込まれてロックされる。
【００３３】
前壁部材７０が本保持位置に装着されると、前面に方形の端子挿通孔５５が開口された正規形状のキャビティ５０が形成され、同キャビティ５０内に雌端子３０が正規に収容された形態となるとともに、撓み規制片７７が撓み許容空間５７Ａに進入してランス５７の弾性撓みが規制されることで、雌端子３０が間接的に二重係止される。
それとともに、前壁部材７０に設けられた逃がし溝８０が、端子収容部４２に形成された嵌合溝６０の前方に連なって配された形態となる。
【００３４】
このように組み付けられた雌ハウジング４０が、図１の矢線に示すように、相手の雄ハウジング１０に向けて嵌合される。雌ハウジング４０は、両側面と下面のガイド溝４７を雄ハウジング１０の対応するガイド壁１７に合わせることで、真直に案内されつつ押し込まれ、雌ハウジング４０における前壁部材７０が装着された端子収容部４２がフード部１１の内側に進入し、またカバー部４３がフード部１１の外側に進入しつつ嵌合される。この間、フード部１１の外面のガイド壁１７が、相手のガイド溝４７の内面の第２がた詰めリブ６２を潰しつつ押し込まれる。
【００３５】
嵌合が進むと、雄ハウジング１０のフード部１１の内周面に形成された上下の嵌合突条２０が、前壁部材７０の上下の面に形成された逃がし溝８０を通ったのち、図１２に示すように、端子収容部４２の外周面に形成された嵌合溝６０に前方から挿入され、同嵌合突条２０の進入に伴い嵌合溝６０の内面に形成された第１がた詰めリブ６１が次第に圧潰される。
【００３６】
さらに嵌合が進むと、ロックアーム４５の先端がロック突部１３に乗り上げてロックアーム４５が撓み変位しつつ押し込まれる。雌ハウジング４０の前壁部材７０の前面が、雄ハウジング１０のフード部１１の奥面に当たる正規位置まで押し込まれると、図１３に示すように、雄端子１５が端子挿通孔５５を通って対応する雌端子３０の接続部３１内に正規量進入することにより、雄雌の端子金具１５，３０同士が電気的に接続されるとともに、ロックアーム４５のロック孔４５Ａがロック突部１３を通過することで、ロックアーム４５が復元変位しつつロック突部１３がロック孔４５Ａ内に嵌り、雄雌のハウジング１０，４０が嵌合状態にロックされる。また、シールリング５８が、端子収容部４２の基端部の外周と、フード部１１の開口側の内周との間で弾性的に挟持され、雄雌のハウジング１０，４０間が防水される。
【００３７】
係る状態では、図１５に示すように、雌ハウジング４０における端子収容部４２の嵌合溝６０の内面に設けられた第１がた詰めリブ６１が、相手の雄ハウジング１０のフード部１１の内周面に設けられた嵌合突条２０の圧潰面２２で圧潰されることにより、雄雌のハウジング１０，４０間が直接的にがた詰めされる。
それとともに、図１６に示すように、雄ハウジング１０のフード部１１の外周面に設けられたガイド壁１７が、雌ハウジング４０のカバー部４３の内周面に設けられたガイド溝４７内の第２がた詰めリブ６２を圧潰することにより、これも両ハウジング１０，４０間のがた詰めに寄与し得る。
【００３８】
以上のように本実施形態によれば、雄ハウジング１０と、雌ハウジング４０の端子収容部４２との間が直接にがた詰めされることになり、それらに収容された雄雌の端子金具１５，３０同士の微摺動摩耗をより確実に抑制することができる。
がた詰めをするべく嵌合突条２０が第１がた詰めリブ６１を圧潰する際に、雄ハウジング１０のフード部１１が開くような力が作用したとしても、その開きは雌ハウジング４０のカバー部４３で抑制される。そのため、第１がた詰めリブ６１の圧潰がより確実に行われ、ひいてはより確実ながた詰めが図られる。
【００３９】
雌ハウジング４０の嵌合溝６０内に設けられた第１がた詰めリブ６１と、この第１がた詰めリブ６１を圧潰するべく嵌合突条２０の圧潰面２２が、共に嵌合方向の先端側から後端側に向けて次第に高さが大きくなったテーパ状に形成されているから、雄雌のハウジング１０，４０の嵌合が進むにしたがって、第１がた詰めリブ６１が次第に大きく圧潰されるようになる。初めから所定量圧潰される場合と比較すると、雄雌のハウジング１０，４０の嵌合動作がスムーズに行われ、すなわち良好な嵌合フィーリングを得ることができる。
【００４０】
＜他の実施形態＞
本明細書で開示される技術は、上記記述及び図面によって説明した実施形態に限定されるものではなく、例えば次のような実施形態も含まれる。
（１）嵌合突条と、がた詰めリブを設けた嵌合溝との組数並びに配設位置は上記実施形態に例示したものに限らず、適宜に選定できる。
（２）嵌合溝の内面に設けるがた詰めリブの本数や位置も、上記実施形態に例示したものに限らず任意に選定できる。
（３）上記実施形態では、嵌合突条の圧潰面とがた詰めリブの両方をテーパ状とした場合を例示したが、テーパ状とするのはいずれか一方のみであってもよい。また、両者ともテーパが施されていないものであってもよく、そのようなものも技術的範囲に含まれる。
【００４１】
（４）キャビティの前壁部分については、全面に亘って前壁部材の前壁部で賄う構造としてもよい。この場合は、前壁部材の前壁部に対してのみ端子挿入孔が形成されることになる。
（５）雄ハウジングの外周のガイド壁と、雌ハウジングの内周のガイド溝との間に設けたがた詰め構造は、これを割愛してもよい。
（６）上記実施形態では防水コネクタを例示したが、非防水のコネクタにも同様に適用することができる。
（７）上記実施形態では機器直結型のコネクタを例示したが、雄雌のハウジングを共にハーネスの端末に接続したワイヤ−ワイヤのコネクタにも同様に適用可能である。
【符号の説明】
【００４２】
１０…雄ハウジング
１１…フード部
１５…雄端子
２０…嵌合突条
２１…圧潰部
２２…圧潰面
３０…雌端子
４０…雌ハウジング
４２…端子収容部
４３…カバー部
５０…キャビティ
５５…端子挿入孔
５８…シールリング
６０…嵌合溝
６１…第１がた詰めリブ（がた詰めリブ）
７０…前壁部材
７１…前壁部
７２…筒部
８０…逃がし溝
【図１】
2015220169.tif 000003
【図２】
2015220169.tif 000004
【図３】
2015220169.tif 000005
【図４】
2015220169.tif 000006
【図５】
2015220169.tif 000007
【図６】
2015220169.tif 000008
【図７】
2015220169.tif 000009
【図８】
2015220169.tif 000010
【図９】
2015220169.tif 000011
【図１０】
2015220169.tif 000012
【図１１】
2015220169.tif 000013
【図１２】
2015220169.tif 000014
【図１３】
2015220169.tif 000015
【図１４】
2015220169.tif 000016
【図１５】
2015220169.tif 000017
【図１６】
2015220169.tif 000018